(57)【特許請求の範囲】
【請求項１】
差し込まれたロック棒を係止して施錠する一方、第１コイン及びそれより小さな第２コインの投入後に押し棒が押されることで、前記係止を解除して解錠する係留ポストであって、
第１コインの大きさ以下のコインのみを投入可能な大きさの投入口の内側に設けられ、第１コインの大きさ未満の大きさのコインを返却口へ脱落させる選別穴が形成された投入ガイドと、
前記選別穴に脱落することなく投入ガイドから導かれたコインを両面からガイドすることで、コインを立てた状態で整列させて下方に導くコイン誘導部材と、
コイン誘導部材から落下したコインを受け入れて収納する金庫と、
ロック棒の押し込みにより可動し、ロック棒が押し込まれた状態では、コイン誘導部材から金庫へのコインの脱落を防止して、コイン誘導部材の所定位置にコインを停止させる一方、ロック棒の押し込みが解除された状態では、前記コインの停止を解除してコインを金庫へ落下させるコイン保持爪が設けられたコイン保持部材と、
押し込まれたロック棒を係止する一方、コイン保持部材でコイン誘導部材に保持された第１コイン又は第２コインを介して押し棒を押し込むことで可動して、ロック棒との係止を解除するロック部材と、
コイン誘導部材に第１コイン又は第２コインが投入、保持されることで可動するアームと、
このアームの動きにより投入ガイドに対し開閉可能とされ、その閉鎖状態では、前記投入口及び前記選別穴の一部を塞いで、第２コインの大きさ以下のコインのみを投入可能な大きさの投入口とする一方、第２コインの大きさ未満の大きさのコインを返却口へ脱落させる大きさの選別穴とするセレクタと
を備えることを特徴とする硬貨選別機構付き係留ポスト。
【請求項２】
差し込まれたロック棒を係止して施錠する一方、第１コイン及びそれより小さな第２コインの投入後に押し棒が押されることで、前記係止を解除して解錠する係留ポストであって、
第１コインの大きさ以下のコインのみを投入可能な大きさの投入口の内側に設けられ、第１コインの大きさ未満の大きさのコインを返却口へ脱落させる選別穴が形成された投入ガイドと、
前記選別穴に脱落することなく投入ガイドから導かれたコインを両面からガイドすることで、コインを立てた状態で整列させて下方に導くコイン誘導部材と、
コイン誘導部材から落下したコインを受け入れて収納する金庫と、
ロック棒の押し込みにより可動し、ロック棒が押し込まれた状態では、コイン誘導部材から金庫へのコインの脱落を防止して、コイン誘導部材の所定位置にコインを停止させる一方、ロック棒の押し込みが解除された状態では、前記コインの停止を解除してコインを金庫へ落下させるコイン保持爪が設けられたコイン保持部材と、
押し込まれたロック棒を係止する一方、コイン保持部材でコイン誘導部材に保持された第２コインを介して押し棒を押し込むことで可動して、ロック棒との係止を解除するロック部材と、
コイン誘導部材に第１コインが投入、保持されることで可動するアームと、
このアームの動きにより可動し、前記投入口及び前記選別穴の一部を塞いで、第２コインの大きさ以下のコインのみを投入可能な大きさの投入口とする一方、第２コインの大きさ未満の大きさのコインを返却口へ脱落させる大きさの選別穴とするセレクタと
を備えることを特徴とする硬貨選別機構付き係留ポスト。
【請求項３】
前記投入ガイドは、投入口からコイン誘導部材の投入シュートへ行くに従って下方に傾斜すると共に、垂直方向より傾斜させて前記選別穴を下方に向けた状態で取り付けられ、
その傾斜した投入ガイドに揺動可能に設けられる前記セレクタは、第１コインの投入前の状態では自重により、投入口及び選別穴を開いた状態とされ、第１コインの投入後の状態では、アームにより可動されて、投入口及び選別穴の一部を閉じた状態とされる
ことを特徴とする請求項２に記載の硬貨選別機構付き係留ポスト。
【請求項４】
料金後払い方式の自転車係留ポストであって、
一端部に前記ロック棒が設けられる一方、他端部が固定された鎖を備え、
この鎖で自転車やミニバイク等を係留した後、ロック棒が差し込まれて施錠され、
前記第１コインは１００円硬貨であり、前記第２コインは５０円硬貨である
ことを特徴とする請求項２又は請求項３に記載の硬貨選別機構付き係留ポスト。
【請求項５】
投入口へのコインの投入を防止するシャッターを備え、
ロック棒が押し込まれていない状態では、バネ力によってシャッターが投入口を塞ぐ位置に配置される一方、ロック棒が押し込まれた状態では、前記バネ力に対抗して前記コイン保持部材によりシャッターが可動されて投入口が開かれる
ことを特徴とする請求項１から請求項４までのいずれかに記載の硬貨選別機構付き係留ポスト。
【請求項６】
前記投入ガイドから前記セレクタを取り外して使用することで、複数枚の前記第１コインで解錠可能とされた
ことを特徴とする請求項１から請求項５までのいずれかに記載の硬貨選別機構付き係留ポスト。
【請求項７】
前記コイン保持部材には、前記コイン保持爪に加えて、第２のコイン保持爪が着脱可能とされており、
この第２のコイン保持爪を取り付けることで、一枚の前記第１コインのみで解錠可能とされた
ことを特徴とする請求項１から請求項６までのいずれかに記載の硬貨選別機構付き係留ポスト。
【発明の詳細な説明】
【０００１】
【発明の属する技術分野】
本発明は、コインの投入により解錠できる係留ポスト（錠前）に関するものである。特に、自転車やミニバイク等をチェーンにて係留して施錠する一方、所定硬貨を投入して解錠できる硬貨選別機構付き係留ポストに関するものである。
【０００２】
【従来の技術】
例えば実公平２−２２７７４号公報に開示されるように、管理人のいる料金後払い式の駐輪場では、自転車係留ポストが設置されることがある。この係留ポストは、自転車やミニバイク等をチェーンにて係留して施錠する一方、解錠時には規定料金の所定硬貨を投入して、所定の操作をすることで解錠できるものである。
【０００３】
【発明が解決しようとする課題】
しかしながら、上記公報掲載の係留ポストは、一種類のコイン（１００円硬貨）にしか対応できなかった。それ故、例えば１５０円の料金設定にすることができず、或いは必要に応じて料金設定を変えることができなかった。
【０００４】
なお、１５０円の料金設定を行うために、１００円硬貨と５０円硬貨それぞれ専用に投入口を二つ用意することも考えられるが、構造が複雑になるし、利便性も劣るものといえる。特に、投入口が二つあるので、１００円硬貨の投入口に５０円硬貨を押し込もうとするなどの誤投入が起こり易いものである。一方、自動販売機や自動券売機に代表される電気的な検銭機構を使用することも考えられるが、電源が必要で、その維持・管理の面でコスト高になることは避けられない。
【０００５】
本発明は、上記事情に鑑みてなされたものであり、その主たる目的は、簡易な機械的構造で安価に、一つの投入口で複数種別・複数枚数のコインにも対応可能な係留ポストを提供することにある。
【０００６】
【課題を解決するための手段】
上記目的を達成するために、本発明の硬貨選別機構付き係留ポストは、差し込まれたロック棒を係止して施錠する一方、第１コイン及びそれより小さな第２コインの投入後に押し棒が押されることで、前記係止を解除して解錠する係留ポストであって、下記（Ａ）〜（Ｇ）の構成要件を備えることを特徴とする。
【０００７】
（Ａ）第１コインの大きさ以下のコインのみを投入可能な大きさの投入口の内側に設けられ、第１コインの大きさ未満の大きさのコインを返却口へ脱落させる選別穴が形成された投入ガイド。
（Ｂ）前記選別穴に脱落することなく投入ガイドから導かれたコインを両面からガイドすることで、コインを立てた状態で整列させて下方に導くコイン誘導部材。
（Ｃ）コイン誘導部材から落下したコインを受け入れて収納する金庫。
（Ｄ）ロック棒の押し込みにより可動し、ロック棒が押し込まれた状態では、コイン誘導部材から金庫へのコインの脱落を防止して、コイン誘導部材の所定位置にコインを停止させる一方、ロック棒の押し込みが解除された状態では、前記コインの停止を解除してコインを金庫へ落下させるコイン保持爪が設けられたコイン保持部材。
（Ｅ）押し込まれたロック棒を係止する一方、コイン保持部材でコイン誘導部材に保持された第２コインを介して押し棒を押し込むことで可動して、ロック棒との係止を解除するロック部材。
（Ｆ）コイン誘導部材に第１コインが投入、保持されることで可動するアーム。
（Ｇ）このアームの動きにより可動し、前記投入口及び前記選別穴の一部を塞いで、第２コインの大きさ以下のコインのみを投入可能な大きさの投入口とする一方、第２コインの大きさ未満の大きさのコインを返却口へ脱落させる大きさの選別穴とするセレクタ。
【０００８】
なお、好ましくは上記構成に加えて、前記投入ガイドは、投入口からコイン誘導部材の投入シュートへ行くに従って下方に傾斜すると共に、垂直方向より傾斜させて前記選別穴を下方に向けた状態で取り付けられる。そして、その傾斜した投入ガイドに揺動可能に設けられる前記セレクタは、第１コインの投入前の状態では自重により、投入口及び選別穴を開いた状態とされ、第１コインの投入後の状態では、アームにより可動されて、投入口及び選別穴を閉じた状態とされる。
【０００９】
【発明の実施の形態】
以下、本発明の硬貨選別機構付き係留ポスト１について、実施例に基づき更に詳細に説明する。ここでは、管理人のいる料金後払い式の駐輪場に設置され、自転車やミニバイク等を鎖２で係留して施錠し、解錠時には規定料金を投入して解錠操作する自転車係留ポスト１に適用した例について説明する。なお、本実施例では、１００円硬貨投入後に５０円硬貨を投入して、１５０円を支払うことで解錠操作可能に構成した自転車係留ポスト１について説明する。
【００１０】
図１は、本発明の自転車係留ポスト１の一実施例を示す正面図である。
この係留ポスト１は、駐輪場の各駐輪スペースに設置されるものである。駐輪場には、各駐輪スペースに対応して支柱３が立てられており、各支柱３の上端部に、施錠装置としての係留ポスト１が固定されている。
【００１１】
本実施例の係留ポスト１は、図１に示されるようにボックス状とされる。具体的には、正面側にのみ開口した外箱４と、その外箱４の開口部に固定される正面プレート５とを備える（図９）。外箱４の開口部に正面プレート５を取り付けた状態では、正面プレート５下部に空間があくので、その空間部に金庫６が引き出し可能に設けられる。この金庫６は正面側に配置された鍵穴７に所定のキーを差し込んで操作することで、施錠或いは解錠可能とされている。なお、正面プレート５には、硬貨投入口８、硬貨返却口９、施錠時にロック棒１０を差し込むための差込口１２、解錠時に操作するための押し棒１１が配置されている。
【００１２】
また、係留ポスト１は、自転車等を係留するための鎖２を備える。この鎖２は、基端部が、支柱３或いは係留ポスト１等に取り外し不能に固定され、先端部には、係留ポスト１本体の差込口１２に差し込んで、後述のロック部材２８と係合して施錠するためのロック棒１０が設けられている。なお、本実施例のロック棒１０は、先端部１０ａが略円錐状の先細りに形成された丸棒からなり、その円錐部１０ａの基端部には、円環状の係合溝１０ｂが周方向に沿って形成されている。
【００１３】
自転車係留ポスト１に自転車等を係留して施錠するには、自転車等の車輪等に鎖２を通した後、その鎖２の先端部のロック棒１０を差込口１２に押し込めばよい。一方、解錠するには、投入口８から１００円硬貨Ｘと５０円硬貨Ｙを順に投入した後、外箱４から突出した押し棒１１を押し込めばよい。なお、係留ポスト１の一側面には、後述する強制解除キーを差し込むための鍵穴１３が配置されており、また係留ポスト１の他側面には、不使用時に、鎖２の先端部を引っ掛けておくためのフック１４が設けられている。
【００１４】
図２及び図３は、本実施例の係留ポスト１の内部構造を示す斜視図である。
外箱４の正面側開口に取り付けられる板状の正面プレート５には、上方位置にコイン投入口８を、その投入口８の下方位置にコイン返却口９を形成している。この投入口８と返却口９は、１００円硬貨Ｘが通過できる程度の細長いスリット状に形成されている。また、正面プレート５には、ロック棒１０や押し棒１１が通される丸穴もそれぞれ開けられている。本実施例では、押し棒１１用の丸穴は、返却口９に隣接して形成され、その下方位置にロック棒１０用の丸穴（差込口）１２が形成されている。
【００１５】
正面プレート５の表面には、薄い化粧板１５が貼り合わされており、その化粧板１５には図１に示すように、「１５０円」、「押す」、「差込口」などの表示がなされている。なお、化粧板１５には、正面プレート５と対応した位置に、上述したスリットや丸穴が形成されている。
【００１６】
正面プレート５の裏面には、投入口８と対応した位置に、硬貨選別機構の主要部をなす投入ガイド１６が取り付けられている。
図４は、本実施例の投入ガイド１６を示す斜視図であり、図５はそのＸ−Ｘ断面図である。
【００１７】
この図に示すように、投入ガイド１６は、板状のシュートベース１７の表面に、薄い金属板からなるシュートカバー１８が重ね合わされて固定されており、さらに、そのシュートカバー１８の上部に重ね合わせ可能に、セレクタ１９がシュートベース１７上部にヒンジ状に揺動可能に取り付けられている。シュートベース１７は、略矩形板状の本体片１７ａの一端部に、本体片１７ａに対して略垂直に突出して、正面プレート５への取付片１７ｂが一体形成されている。本体片１７ａの一方の面には、硬貨を案内するための幅広で浅い矩形状のガイド溝１７ｃが、左右両端縁に開口して形成されている。そして、この本体片１７ａの一方の面に、薄い金属板からなるシュートカバー１８が重ね合わされて固定される。
【００１８】
シュートカバー１８の中央部には、略矩形状の選別穴１８ａが形成されている。この選別穴１８ａの上下端辺は、ガイド溝１７ｃの上下端辺と平行で、且つガイド溝１７ｃの上下端辺よりもやや上下方向内側に配置されている。これにより、ガイド溝１７ｃの上下には、上下方向内向きのコ字形状溝が形成されることになる。
【００１９】
シュートベース１７の上端部には、互いに離隔して平行に、二つの突出片１７ｄが一体形成されている。この突出片１７ｄは、シュートカバー１８が取り付けられた側に突出して形成されている。そして、これら突出片１７ｄに形成された穴に、セレクタ１９の上端部に形成されたピン１９ｃが回転自在にはめ込まれる（図７）。これにより、セレクタ１９は、シュートベース１７に対しヒンジ状に回転自在とされる。
【００２０】
板状のセレクタ１９は、下端部１９ａが略Ｌ字形状に屈曲されており、シュートカバー１８に重ね合わされた状態では、シュートカバー１８の選別穴１８ａの上端辺に、その屈曲部１９ａがはめ合わされる。よって、シュートカバー１８の選別穴１８ａの上下方向高さが、僅かに小さくなる。また、セレクタ１９は、投入口８側に配置される一側端部の上部１９ｂが、シュートベース１７側にＬ字形状に屈曲されている。従って、シュートカバー１８にセレクタ１９が重ね合わされた状態では、その屈曲部１９ｂがガイド溝１７ｃの入口上方の一部を塞ぐことになる。
【００２１】
このような構成の投入ガイド１６は、正面プレート５に前記取付片１７ｂが固定される。ここで、本実施例では図１に示すように、硬貨投入口８が斜めに形成されている。図示例では、垂直方向に対し約３０度の傾きをもって投入口８が形成されている。従って、その投入口８の内側に設けられる投入ガイド１６も、そのガイド溝１７ｃが投入口８と同様に傾いた状態で取り付けられる。つまり、投入ガイド１６のガイド溝１７ｃが、化粧板１５や正面プレート５の投入口８と連続的に傾いた状態で取り付けられる。その際、セレクタ１９が下面側となる状態で取り付けられる。従って、セレクタ１９は、通常時には図５において二点鎖線で示すように、その自重により、シュートカバー１８の選別穴１８ａや、ガイド溝１７ｃの入口を完全に開いた状態とする。そして、セレクタ１９は、後述するアーム２０の作用により、シュートカバー１８に重ね合わされることが可能とされており、その際には、シュートカバー１８の選別穴１８ａや、ガイド溝１７ｃの入口をそれぞれ僅かに狭めることになる。
【００２２】
図６及び図７は、上述した投入口８及び投入ガイド１６による硬貨選別機構の作用を示す図であり、図６はセレクタ１９が開いた状態、図７はセレクタ１９がシュートカバー１８に重ね合わされて閉じた状態を示している。
【００２３】
まず、前提として、そもそも日本国内で現在流通している硬貨は、直径が大きい順に並べると、５００円硬貨、１０円硬貨、１００円硬貨、５円硬貨、５０円硬貨、１円硬貨の順序となる。そして、本実施例の係留ポスト１では、１００円硬貨投入後に５０円硬貨を投入して、１５０円の支払いがなされることで、解錠可能なものである。
【００２４】
この場合、正面プレート５及び化粧板１５に形成する投入口８は、そもそも１００円硬貨の大きさ以下の硬貨しか投入できない大きさとしておけばよい。つまり、投入口８を１００円硬貨が通り得る最小の直径に規制しておくことで、５００円硬貨と１０円硬貨は、そもそも投入口８に入れることができない。これにより、１００円硬貨、５円硬貨、５０円硬貨、１円硬貨のみが投入口８に投入可能となるが、セレクタ１９が開いた状態では、投入ガイド１６のガイド溝１７ｃを下る際に、１００円硬貨の大きさ未満の硬貨は選別穴１８ａから脱落することになる。
【００２５】
つまり、投入された硬貨は、その周側面で投入ガイド１６のガイド溝１７ｃを転がりながら、投入ガイド１６の先端部に配置した後述の投入シュート２１へ導かれるが、その際、１００円硬貨の大きさ未満の５円硬貨、５０円硬貨及び１円硬貨は、ガイド溝１７ｃの側面に形成された選別穴１８ａから脱落して、後述の返却シュート２３ひいては返却口９へ導かれることになる。
【００２６】
すなわち、図６に示すように、１００円硬貨Ｘの場合は、硬貨の周側面下端部がガイド溝１７ｃの下側コ字形状溝に保持されると共に、上端部もガイド溝１７ｃの上側コ字形状溝に保持される大きさに選別穴１８ａを形成しているので、１００円硬貨は選別穴１８ａから脱落することなく投入ガイド１６のガイド溝１７ｃを最後まで通過することになる。一方、５円硬貨、５０円硬貨或いは１円硬貨は、周側面下端部は同様にガイド溝１７ｃの下側コ字形状溝に保持されるが、上端部はガイド溝１７ｃの上側コ字形状溝に引っ掛からない大きさに選別穴１８ａを形成している。しかも投入ガイド１６自体が垂直方向から傾いた状態で取り付けられていることもあって、これら硬貨の場合には必然的に、選別穴１８ａ側に倒れて、選別穴１８ａを通って返却シュート２３へ導かれることになる。
【００２７】
このようにして、シュートカバー１８にセレクタ１９が重ね合わされていない状態では、５００円硬貨及び１０円硬貨は、投入口８の規制によりそもそも投入できないし、５円硬貨、５０円硬貨及び１円硬貨は投入できても、傾けて取り付けられた投入ガイド１６の選別穴１８ａから脱落し、返却口９に戻さる。よって、結局、この状態では、１００円硬貨のみが、投入ガイド１６のガイド溝１７ｃを最後まで転がって、投入シュート２１に入れられて有効に受け付けられることになる。そして、後述するように、投入シュート２１付きのコイン誘導部材２２に１００円硬貨が落下することでアーム２０が作動し、そのアーム２０にてセレクタ１９が閉じられることになる。つまり、アーム２０にてセレクタ１９はシュートカバー１８に重ね合わされるよう押し付けられて、図４、図５及び図７の状態とされる。
【００２８】
この状態の場合、セレクタ１９の一側端部に形成した投入口規制シャッター１９ｂが、投入口８の上端部を僅かに塞いで、投入口８の大きさを小さくする。また、この状態の場合、セレクタ１９の下端部に形成した選別穴規制シャッター１９ａが、選別穴１８ａの上端辺に係合して、選別穴１８ａの上下方向高さを僅かに小さくする。
【００２９】
セレクタ１９が閉じられた状態では、選別穴規制シャッター１９ａによって、５００円硬貨と１０円硬貨に加えて、１００円硬貨及び５円硬貨の投入も規制される。よって、５０円硬貨及び１円硬貨のみ投入口８に投入可能となるが、投入ガイド１６のガイド溝１７ｃを下る際に、５０円硬貨の大きさ未満の硬貨、つまり１円硬貨は選別穴１８ａから脱落することになる。
【００３０】
すなわち、図７に示すように、５０円硬貨Ｙの場合は、周側面下端部がガイド溝１７ｃの下側コ字形状溝に保持されると共に、上端部もガイド溝１７ｃの上側コ字形状溝に保持される大きさに選別穴１８ａが形成されている。よって、５０円硬貨は選別穴１８ａから脱落することなく、投入ガイド１６のガイド溝１７ｃを最後まで通過することになる。一方、１円硬貨は、周側面下端部はガイド溝１７ｃの下側コ字形状溝に保持されるが、上端部はガイド溝１７ｃの上側コ字形状溝に引っ掛からない。そして、投入ガイド１６自体が垂直方向から傾いた状態で取り付けられていることもあって、１円硬貨の場合には必然的に、選別穴１８ａ側に倒れて、選別穴１８ａを通って返却シュート２３へ導かれることになる。
【００３１】
このようにして、シュートカバー１８にセレクタ１９が重ね合わされた状態では、５００円硬貨及び１０円硬貨は正面プレート５や化粧板１５の投入口８の規制によりそもそも入らないし、１００円硬貨及び５円硬貨も、セレクタ１９の投入口規制シャッター１９ｂが投入口８裏面に配置されることで、そもそも投入口８に入らないことになる。そして、１円硬貨は投入できても、傾けて取り付けられた投入ガイド１６の選別穴１８ａから脱落し、返却口９に戻さる。よって、結局、この状態では、５０円硬貨のみが、投入ガイド１６のガイド溝１７ｃを最後まで転がって、投入シュート２１に入れられて、有効に受け付けられることになる。
【００３２】
投入ガイド１６の選別穴１８ａの下部には、返却シュート２３が配置されている。本実施例の返却シュート２３は、薄い金属板が屈曲形成されてなり、正面プレート５の裏面に取り付けられている。返却シュート２３は、投入ガイド１６の選別穴１８ａから脱落した硬貨を受け入れるホッパー２３ａを上部に形成され、そのホッパー２３ａは下方へ行くに従って狭まり、最終的には硬貨の両面をガイドしつつ、硬貨を返却口９へ導出可能としている（図３）。なお、返却口９には、図１に示すように、略Ｕ字形状のコイン止め９ａを取り付けているので、返却口９に戻された硬貨はコイン止め９ａにて止まる。よって、返却された硬貨を受け取り易い。
【００３３】
投入ガイド１６のガイド溝１７ｃの先端部には、投入シュート２１が配置されている。投入シュート２１は、正面プレート５の裏面に取り付けられたコイン誘導部材２２の上端部に形成されている。コイン誘導部材２２は、二枚の金属板２２ａ，２２ｂが所定の隙間を開けて重ね合わされてなり、上端部が互いに離間して広がることで、投入シュート２１が形成されている。投入シュート２１は、一側端部に開口しており、投入ガイド１６からの硬貨は、その開口部を通してコイン誘導部材２２に落される。
【００３４】
コイン誘導部材２２には、投入シュート２１からの硬貨を立てた状態で一枚ずつ整列させて下方へ導くためのコイン誘導路２２ｄ（図９）が、下端縁に開口して上下方向に沿って形成されている。つまり、二枚の金属板２２ａ，２２ｂ間に所要の板材からなるスペーサ２２ｃを介在させることで、投入シュート２１からコイン誘導部材２２の下端縁まで垂直方向にコイン誘導路２２ｄを形成している。なお、コイン誘導部材２２は、正面プレート５の裏面に、正面プレート５に対し垂直に突出するよう設けられる。
【００３５】
コイン誘導部材２２には、略Ｌ字形状のコイン保持部材２４が、揺動可能に取り付けられる。コイン保持部材２４は、一片２４ａが略水平に配置されて、後述するメインシャッター２５を可動させるためのシャッター可動片とされ、他片２４ｂが略垂直に配置されて、ロック棒１０により可動されるロック棒可動片２４ｂとされている。そして、両片２４ａ，２４ｂがつながる角部２４ｃが、コイン誘導部材２２の投入シュート２１下部に軸支されて、揺動可能とされている。ここで、ロック棒可動片２４ｂは、その長手方向中間部がコイルバネ２６によって正面プレート５側に常時付勢されている。
【００３６】
コイン誘導部材２２は、一側端部が正面プレート５裏面に接合されて取り付けられるが、その取付部２２ｅを貫通してロック棒１０が差し込まれる差込口１２が形成されている。そして、その差込口１２の裏側には、略Ｕ字形状断面のガイド部材２７の上下両端部がコイン誘導部材２２の一側面に固定されることで、差込口１２と連続的に差込穴２７ａが形成されている。
【００３７】
ガイド部材２７の差込穴２７ａにロック棒１０が差し込まれた場合に、ロック棒１０の先端部がコイン保持部材２４の下端部に当たることになる。コイン保持部材２４のロック棒可動片２４ｂの下端部には、正面プレート５の面方向と平行に屈曲形成されたロック棒当たり部２４ｄが形成されている。上述したように、ロック棒可動片２４ｂは、コイルバネ２６により正面プレート５側に付勢されているので、ロック棒当たり部２４ｄはガイド部材２７の側に近接した状態とされる（図９）。
【００３８】
その状態では、ロック棒可動片２４ｂに形成されたコイン保持爪２４ｅは、コイン誘導路２２ｄを通過する硬貨に当たらない位置に退避されている。一方、前記コイルバネ２６の付勢力に対抗して、差込穴２７ａにロック棒１０が押し込まれると、図９において、支点２４ｃ回りにコイン保持部材２４が時計方向に回転することになり、図１０の状態となる。そして、その状態では、ロック棒可動片２４ｂに形成されたコイン保持爪２４ｅが、コイン誘導路２２ｄの一部を遮る位置に移動して、コイン誘導路２２ｄを通過する硬貨が下方に落下しないように硬貨を保持することになる。なお、本実施例のコイン保持爪２４ｅは、図２に示すように、ロック棒可動片２４ｂの長手方向中央部から二又分かれした部分が、コイン誘導部材２２の板面に対し垂直に屈曲形成されてなり、コイン誘導部材２２に形成された切欠きに差し込まれている。
【００３９】
コイン誘導部材２２には、正面プレート５とは反対側の下端隅部に、略Ｌ字形状のロック部材２８が、その角部２８ａを支点として揺動可能に軸支されている。ロック部材２８の支点２８ａから上方に延びる垂直片２８ｂの先端部には、略Ｌ字形状に屈曲されてコイン誘導部材２２を厚さ方向に貫通するコイン当たり部２８ｃが形成されている。一方、ロック部材２８の支点２８ａから正面プレート５側に延びる水平片２８ｄの先端部は、ガイド部材２７手前で略Ｌ字形状に屈曲されており、ロック棒１０の先端部への係合部２８ｅとされている。そして、このようなロック部材２８は、図２や図９において支点２８ａ周りに時計方向に回転するように、水平片２８ｄが下方に付勢されている。本実施例では、コイン誘導部材２２の下端部と、ロック部材２８の水平片２８ｄとの間に、コイルバネ２９を引っ掛けることで実現されている。
【００４０】
コイン誘導部材２２のコイン誘導路２２ｄに所定の硬貨（本実施例では１００円硬貨の上に５０円硬貨）が配置された状態で、最上段に配置された硬貨（本実施例では５０円硬貨）と対応した位置には、押し棒１１が設けられている。この押し棒１１は、基端部が正面プレート５から外方へ突出する一方、先端部がコイン誘導部材２２のコイン誘導路２２ｄに差し込み可能とされている。そして、通常時は、コイルバネ２９の作用により、コイン誘導路２２ｄのコインに押し棒１１先端部が接触しない位置まで押し棒１１は押し戻されている。
【００４１】
一方、コイルバネ２９のバネ力に対抗して、押し棒１１を押し込むと、その先端部がコイン誘導路２２ｄに突入可能とされている。従って、５０円硬貨Ｙが配置された状態で押し棒１１を押し込んだ際には、その５０円硬貨を介してロック部材２８のコイン当たり部２８ｃが押されることになる。これにより、図２において、ロック部材２８は支点２８ａ周りに反時計方向に僅かに回転することになり、それに伴いロック棒１０と係合部２８ｅとの係合が解除される。
【００４２】
ところで、投入口８の下部には、略Ｌ字形状板からなるメインシャッター２５が、その角部２５ａを正面プレート５に軸支されることで、揺動可能に設けられている。メインシャッター２５の一片２５ｂは、コイルバネ３０によって、正面プレート５を裏面側から見た状態で反時計方向に付勢されている（図２）。そして、その先端部が投入ガイド１６に当接することで、それ以上の回転が制限されており、その状態ではメインシャッター２５の先端部が投入口８の少なくとも一部を塞いで、投入口８へのあらゆる硬貨の投入が防止されている。
【００４３】
メインシャッター２５の他片２５ｃの上には、コイン保持部材２４のシャッター可動片２４ａが載せられている。ロック棒１０が差し込まれていない状態では、シャッター可動片２４ａは上述したようにコイルバネ２６の作用により、ある程度上方位置にあるので、その状態ではメインシャッター２５が投入口８を塞ぐことになる。よって、自転車等を係留して施錠する前には、メインシャッター２５が閉まっており、硬貨の誤投入を防止することができる。
【００４４】
一方、ロック棒１０を差し込んで施錠すると、図１０に示すように、ロック棒可動片２４ｂが押し込まれることで、コイン保持部材２４が支点２４ｃ周りに時計方向に僅かに回転することになり、シャッター可動片２４ａが下方へ移動することになる。シャッター可動片２４ａが下方へ移動すると、メインシャッター２５の他片２５ｃが下方へ押されるので、メインシャッター２５は時計方向へ僅かに回転することになる。これに伴い、メインシャッター２５の一片２５ｂが投入口８からずれた状態となるため、投入口８が開くことになる。投入口８が開くことで、硬貨の投入が可能となり、利用者は所定硬貨を順に投入して押し棒１１を操作することで、解錠が可能になる。
【００４５】
コイン誘導部材２２には、コイン保持部材２４やロック部材２８が取り付けられた側とは反対側の板面に、略Ｚ字形状のストッパ部材３１の一片３１ｃが固定されている（図３）。これにより、ストッパ部材３１の中央片３１ａが、コイン誘導部材２２の板面に対して垂直に突出すると共に、中央片３１ａの先端部に垂直にストッパ片３１ｂが配置される。ストッパ部材３１の中央片３１ａには、細長い板材からなるアーム２０が揺動可能に軸支される。本実施例のアーム２０は、略くの字形状であり、その一片２０ａは他片２０ｂに対して十分に長く形成されている。そして、このような形状のアーム２０は、屈曲角部が前記中央片３１ａに保持される。
【００４６】
図８は、本実施例の係留ポスト１の内部構造を示す図であり、背面側から正面プレート５側を見た状態を示している。
図３や図８に示すように、アーム２０の一片２０ａは、セレクタ１９の端部にまで達するよう上方へ延びて形成されている。一方、アーム２０の他片２０ｂは、コイン誘導部材２２のコイン誘導路２２ｄに突入可能とされている。セレクタ１９は前述したように、自己の自重により選別穴１８ａを開いた方向に配置されるので、それに伴ってアーム２０の一片２０ａもシュートベース１７から離れる方向に移動されることになる。但し、図８において、実線で示されるように、ストッパ片３１ｂによって、必要以上にアーム２０が倒れるのは防止される。
【００４７】
一方、コイン誘導路２２ｄに１００円硬貨Ｘが投入されて、その１００円硬貨Ｘがコイン保持爪２４ｅにて所定位置に保持された際には、図８において二点鎖線で示すように、アーム２０の他片２０ｂが１００円硬貨でコイン誘導路２２ｄの外側へ押し出されることになる。これにより、アーム２０の一片２０ａは、セレクタ１９をシュートカバー１８に重ね合わせるよう移動して、セレクタ１９を閉じることになる。
【００４８】
コイン誘導部材２２の下部には、コイン誘導部材２２からの硬貨を受け入れて収容する金庫６が配置されている。この金庫６は、上方に開口したボックス状であり、外箱４の下部に引き出し可能に設けられる。金庫６の一側端部には、キーの操作により回転可能なカンヌキ６ａが設けられている。外箱４に金庫６を収納した状態でキーを回して、カンヌキ６ａを上方へ向けた状態に維持すると、そのカンヌキ６ａが正面プレート５下部に引っ掛かることで、外箱４からの金庫６の引き出しが不可能になる。外箱４から金庫６を引き出したい場合には、キーを操作してカンヌキ６ａを水平状態とすればよい。
【００４９】
以上の構成を前提として、次に、上記実施例の係留ポスト１の作用について説明する。
図９から図１２は、上記実施例の係留ポスト１を側面側から見た内部構造を示す断面図であり、時系列的に状態を示している。
【００５０】
図９は、ロック棒１０が押し込まれる前の解錠状態を示している。この図に示すように、解錠状態では、コイン保持部材２４は、コイルバネ２６の付勢力により、ロック棒可動片２４ｂがガイド部材２７に近接した傾斜状態とされる。また、その状態では、ロック部材２８の水平片２８ｄがコイルバネ２９の付勢力によって、ガイド部材２７側の端部がやや下方に傾斜した状態とされる。なお、この状態では、上述したように、メインシャッター２５にて、投入口８は塞がれている。
【００５１】
図１０は、差込口１２にロック棒１０が押し込まれた施錠状態を示している。駐輪場の利用者は、所定の駐輪スペースに自転車を止めた後、車輪などに係留ポスト１の鎖２を通した後、その鎖２の先端部に設けられたロック棒１０を係留ポスト１の差込口１２へ差し込めばよい。差し込まれたロック棒１０は、ガイド部材２７の差込穴２７ａを通って、先端部がコイン保持部材２４のロック棒当たり部２４ｄへ当たると共に、ロック棒１０先端部の略円錐面１０ａ上部に、ロック部材２８の係合部２８ｅ下辺が当たる。
【００５２】
そこで、更にロック棒１０を押し込むと、ロック部材２８の係合部２８ｅをやや上方へ一時的に押し上げながらロック棒１０は進み、その先端の略円錐部１０ａを通過することで、係合部２８ｅが円錐部１０ａ後端の環状溝１０ｂへはまり込んで、ロック棒１０を係合して施錠することになる。そして、一旦、ロック棒１０とロック部材２８が係合すると、押し棒１１を操作しない限り、ロック棒１０を係留ポスト１から抜くことができなくなる。そして、その状態では、ロック棒当たり部２４ｄが押されることで、コイン保持部材２４が支点２４ｃ周りに回転して、シャッター可動片２４ａでメインシャッター２５が可動され、投入口８が開かれる。
【００５３】
図１０の状態では、硬貨が投入されていないので、セレクタ１９が自重により開いた状態とされる。従って、前述したように、１００円硬貨のみの投入が有効に行われる。１００円硬貨を投入口８から投入すると、その１００円硬貨は、コイン誘導路２２ｄに沿って下方へ落下するが、施錠状態では、コイン保持爪２４ｅがコイン誘導路２２ｄに突出しているので、そのコイン保持爪２４ｅに１００円硬貨が当たって、それ以上の落下が阻止される。その状態では、１００円硬貨がアーム２０を動かして、セレクタ１９を閉めることになる。セレクタ１９が閉まると、５０円硬貨のみが有効に受け付け可能とされる。投入された５０円硬貨は、コイン誘導路２２ｄを通って、図１１に示すように、１００円硬貨の上に整列されて載せられる。
【００５４】
その状態で、図１２に示すように、押し棒１１を押し込むと、押し棒１１の先端部で５０円硬貨Ｙを介して、ロック部材２８の垂直片２８ｂ（コイン当たり部２８ｃ）を押すことになる。これにより、ロック部材２８の水平片２８ｄの係合部２８ｅが上方へ動かされるので、ロック棒１０との係合を解除することになる。ロック部材２８とロック棒１０との係合が解除されると、コイン保持部材２４のロック棒可動片２４ｂは、コイルバネ２６の作用によりロック棒１０を押し戻す方向へ付勢しているので、ロック棒１０は容易に差込口１２から抜き外すことができる。
【００５５】
ロック棒１０が引き抜かれると、コイン保持部材２４やロック部材２８は、それぞれコイルバネ２６，２９の作用により図９の状態に戻されることになる。これにより、コイン保持部材２４のコイン保持爪２４ｅがコイン誘導路２２ｄから退避するので、コイン保持爪２４ｅに引っ掛かっていた１００円硬貨Ｘ及び５０円硬貨Ｙが下方へ落下して、金庫６へ入れられることになる。
【００５６】
駐輪場の管理人は、適宜金庫６を開けて、集金することが可能である。また、駐輪場の利用者が小銭を持ち合わせていない場合などは、所定のキーで強制解錠が可能である。強制解錠キーは、外箱４の一側面から差し込まれる。強制解錠キーを回すことで、図３において二点鎖線で示される略Ｌ字形の板片３２が回転される。その板片３２は、ロック部材２８のコイン当たり部２８ｃを押し棒１１から遠ざかる方向に移動させることができる。よって、５０円硬貨Ｙを介して押し棒１１でコイン当たり片２８ｃを操作した場合と同様にして、解錠することが可能になる。
【００５７】
なお、本発明の硬貨選別機構は、上記実施例の構成に限らず適宜変更可能である。
例えば、上記実施例では、１００円硬貨Ｘと５０円硬貨Ｙの１５０円で動作する例について説明したが、各硬貨の種別や投入枚数は適宜に変更可能である。例えば、本発明の適用箇所によっては、貨幣としての硬貨に限らず、メダルなどの各種コインを使用可能である。また、コイン保持爪２４ｅにて保持された１００円硬貨と、押し棒１１と対応した位置に配置される５０円硬貨との間に、更に別の１００円硬貨を配置するようにして、２５０円に対応可能としてもよい。その場合、２枚目の１００円硬貨の投入によりアーム２０が作動して、セレクタ１９が閉まるように部材を配置すればよい。
【００５８】
また、上記実施例において、図２及び図９〜１２において破線で示すように、コイン保持部材２４にはオプションとしてのコイン保持爪２４ｅ’を着脱可能としてもよい。例えば、既設のコイン保持爪２４ｅの上方に、略Ｌ字形状のオプション品２４ｅ’を付ければ、１００円硬貨１枚で動作する係留ポスト１とすることができる。
【００５９】
その場合、一枚目の１００円硬貨Ｘを投入すれば、その１００円硬貨Ｘは押し棒１１の位置で止まるようにコイン保持爪２４ｅ’が配置されている。従って、次の５０円硬貨Ｙを入れずに、押し棒１１を有効に作動させることができる。従って、この場合には、投入ガイド１６にセレクタ１９を取り付ける必要もなく、アーム２０も必要なくなる。或いは、前記実施例の係留ポスト１において、単に投入ガイド１６からセレクタ１９を取り外して使用することで（アーム２０も不要）、二枚の第１コインで解錠可能な構成とすることもできる。このようなことから、投入ガイド１６へのセレクタ１９や、コイン保持部材２４へのコイン保持爪２４ｅの取り付けは、着脱可能な構成としておくのが望ましいといえる。また、従前の係留ポスト１を改良して、本発明の係留ポスト１とすることもできる。
【００６０】
さらに、上記実施例では、駐輪場の施錠装置として使用する例について説明したが、他の用途にも適宜に対応可能である。
その上、セレクタ１９の枚数を増やして、一のセレクタ１９の上に、他のセレクタ１９を重ね合わせ可能として、順次選別穴１８ａを小さくしていくことで、三種類以上のコインの選別も可能になる。その場合、アーム２０についても、適宜本数を増やして、その取り付け位置を調整すればよい。
【００６１】
また、上記実施例では、硬貨の投入によって、投入ガイド１６にセレクタ１９が重ね合わされる例について説明したが、これとは逆に、硬貨投入前の初期状態において投入ガイド１６にセレクタ１９が重ね合わされており、硬貨投入によってセレクタ１９がアーム２０によって投入ガイド１６から離れて、選別穴１８ａや投入口８を順次大きくしていく構成としてもよい。その場合には、例えば、５０円硬貨の投入後に、１００円硬貨の投入が可能となる。
【００６２】
上記実施例の係留ポスト１では、複数段階の大きさに種類分けされたコインの内、二種以上のコインの選別が機械的に可能になる。複数種別のコインの選別を、電気を必要とせずに機械的に行うことができる。よって、電源のない場所で、１５０円の料金設定で係留サービスを行うことができる。しかも、コイン保持爪２４ｅ，２４ｅ’の着脱によって、料金設定を適宜に変えることができる。
【００６３】
また、上述したように機械式であるから、メンテナンスも容易で、初期費用及び維持費用などのコスト低減も図れる。しかも、従来からの係留ポスト１と同等の大きさで構成することができる。さらに、上記実施例の係留ポスト１では、投入口８を一つとしたので、硬貨の誤投入を防ぐことができる。もし誤って異なる硬貨を投入した場合でも、選別されて返却されるため問題はない。
【００６４】
【発明の効果】
以上詳述したように、本発明によれば、一つの投入口で複数種別・複数枚数のコインにも対応可能な硬貨選別機構付き係留ポストを、簡易な機械的構造で安価に製作することができる。また、場合により料金設定を変更することもできる。
【図面の簡単な説明】
【図１】本発明の係留ポストの一実施例を示す正面図であり、自転車係留ポストに適用した状態を示している。
【図２】図１の係留ポストの内部構造を示す斜視図である。
【図３】図１の係留ポストの内部構造を示す斜視図であり、図２とは反対側の側面から見た状態を示している。
【図４】図１の係留ポストに使用される投入ガイドを示す斜視図である。
【図５】図４におけるＸ−Ｘ断面図である。
【図６】図４の投入ガイドによる硬貨選別機構の作用を示す図であり、セレクタが開いた状態を示している。
【図７】図４の投入ガイドによる硬貨選別機構の作用を示す図であり、セレクタが閉じた状態を示している。
【図８】図１の係留ポストの内部構造を示す断面図であり、背面側から見た状態を示している。
【図９】図１の係留ポストを側面側から見た内部構造を示す断面図であり、ロック棒が押し込まれる前の解錠状態を示している。
【図１０】図１の係留ポストを側面側から見た内部構造を示す断面図であり、差込口にロック棒が押し込まれた施錠状態を示している。
【図１１】図１の係留ポストを側面側から見た内部構造を示す断面図であり、硬貨投入状態を示している。
【図１２】図１の係留ポストを側面側から見た内部構造を示す断面図であり、押し棒を押し込んで解錠する際の状態を示している。
【符号の説明】
１  係留ポスト
２  鎖
６  金庫
８  投入口
１０  ロック棒
１１  押し棒
１６  投入ガイド
１８ａ  選別穴
１９  セレクタ
２０  アーム
２１  投入シュート
２２  コイン誘導部材
２４  コイン保持部材
２４ｅ  コイン保持爪
２４ｅ’  第２のコイン保持爪
２５  メインシャッター
２８  ロック部材
Ｘ  第１コイン（１００円硬貨）
Ｙ  第２コイン（５０円硬貨）
【図１】
0003691800.tif 000002
【図２】
0003691800.tif 000003
【図３】
0003691800.tif 000004
【図４】
0003691800.tif 000005
【図５】
0003691800.tif 000006
【図６】
0003691800.tif 000007
【図７】
0003691800.tif 000008
【図８】
0003691800.tif 000009
【図９】
0003691800.tif 000010
【図１０】
0003691800.tif 000011
【図１１】
0003691800.tif 000012
【図１２】
0003691800.tif 000013